(57)【要約】【課題】占有スペースが小さく作業性が良く、また、型枠の動きに対して対応が容易なコンクリート配管切替装置を提供する。【解決手段】本発明のコンクリート配管切替装置８は、コンクリート供給管７が接続される入口ポート３５と、同一円周上に配備されて且つコンクリート分配管６が接続される複数の出口ポート１５と、入口ポート３５を回転させることにより該入口ポート３５を出口ポート１５に択一的に切り替えて接続する回転駆動装置５０とを備えている。そして、該入口ポート３５は連結管６０を介しコンクリート供給管７に接続される。この連結管６０は、コンクリート供給管７側の端が上記回転の軸線ｘ上に位置するように屈曲して延びて、且つコンクリート供給管７に対しては回転可能に接続される。【選択図】        図１
2007023624.tif 000002
【特許請求の範囲】
【請求項１】
コンクリート供給管が接続される入口ポートと、同一円周上に配備されて且つコンクリート分配管が接続される複数の出口ポートと、前記入口ポートを回転させることにより該入口ポートを前記出口ポートに択一的に切り替えて接続する回転駆動装置とを備えたコンクリート配管切替装置。
【請求項２】
前記入口ポートは連結管を介し前記コンクリート供給管に接続され、該連結管は、前記コンクリート供給管側の端が前記回転の軸線上に位置するように屈曲して延びて、且つ前記コンクリート供給管に対し回転可能に接続される請求項１記載のコンクリート配管切替装置。
【請求項３】
前記入口ポートは回転可能に支持された回転盤に取り付られて、前記出口ポートは固定盤に取り付けられて、前記回転駆動装置は前記回転盤を回転駆動する請求項１又は２のいずれかに記載のコンクリート配管切替装置。
【請求項４】
前記入口ポートとこれに接続された出口ポートとの接触部に押圧力を与える押圧部材を備えた請求項１〜３のいずれかに記載のコンクリート配管切替装置。
【請求項５】
前記接触部は、入口側に設けられた入口側接触板と出口側に設けられた出口側接触板とで構成された請求項４記載のコンクリート配管切替装置。
【請求項６】
前記入口側接触板及び前記出口側接触板は、それぞれ前記回転盤及び前記固定盤に取り替え可能に取り付けられた請求項５記載のコンクリート配管切替装置。
【請求項７】
前記コンクリート配管切替装置は、前記円周上を前記入口ポートに連動して回動し前記入口ポートが一の前記出口ポートに接続された際にそれ以外の前記出口ポートに接続される洗浄用ポートを備えた請求項１〜６のいずれかに記載のコンクリート配管切替装置。
【発明の詳細な説明】
【技術分野】
【０００１】
コンクリートを型枠内に打設する現場で、生コンクリートを送る配管の接続を切替える配管切替装置に関する。
【背景技術】
【０００２】
建設現場に設置された型枠内に、コンクリートポンプを用いて生コンクリートを打設する場合、図５（ａ）に示すように、該型枠内の各部分に向けて配備された複数本のコンクリート分配管６に、択一的に生コンクリートの供給基であるコンクリート供給管７を順次、切り替えながら接続していく必要がある。そのため、従来は、該接続を必要に応じてその都度、手動で切り替えていた。
【０００３】
しかし、このように毎回手動で該接続を切り替えるのは面倒である。そのため、中には図５（ｂ）に示す従来例（特許文献１）のコンクリート分流機９０のようなものも提案されている。このコンクリート分流機９０は、コンクリート供給管７が接続される入口ポート９３と、横一列に直線上に配備されて且つ各コンクリート分配管６が接続される複数の出口ポート９１とを備え、該直線上に入口ポート９３を駆動することによって該入口ポート９３と出口ポート９１との接続を切り替える仕組みとなっている。
【特許文献１】特開平７−９１１９２公報
【発明の開示】
【発明が解決しようとする課題】
【０００４】
しかし、上記コンクリート分流機９０においては、出口ポート９１が横一列に並んでいるため、該装置が占めるスペースが大きく作業性が悪い。また、コンクリート供給管７が横移動するため、型枠の動きに対して対応が困難である。
【０００５】
そこで、本発明は、占有スペースが小さく作業性が良く、また、型枠の動きに対して対応が容易なコンクリート配管切替装置を提供することを目的とする。
【課題を解決するための手段】
【０００６】
上記目的を達成するため、本発明のコンクリート配管切替装置は、コンクリート供給管が接続される入口ポートと、同一円周上に配備されて且つコンクリート分配管が接続される複数の出口ポートと、前記入口ポートを回転させることにより該入口ポートを前記出口ポートに択一的に切り替えて接続する回転駆動装置とを備えている。
【０００７】
前記入口ポートは、前記コンクリート供給管に直接接続されてもよいが、連結管を介し前記コンクリート供給管に接続され、該連結管は、前記コンクリート供給管側の端が前記回転の軸線上に位置するように屈曲して延びて、且つ前記コンクリート供給管に対し回転可能に接続されることが好ましい。このようにすれば、入口ポートが回転した際にも、該連結管がコンクリート供給管との接続部を軸に回転するのみで、該コンクリート供給管自体が動かされることはないからである。
【０００８】
前記入口ポート、前記出口ポート及び前記回転駆動装置の相互の接続関係は、特に限定されないが、前記入口ポートは回転可能に支持された回転盤に取り付られて、前記出口ポートは固定盤に取り付けられて、前記回転駆動装置は前記回転盤を回転駆動することが好ましい。前記回転駆動装置の構成は、特に限定されないが、駆動用モータとチェーンとの組み合わせ、駆動用モータとベルトとの組み合わせ、駆動用モータと歯車との組み合わせ等を例示する。そして、前記駆動用モータとチェーンとの組み合わせである場合、前記回転盤は、特に限定されないが、その外周部に前記チェーンを取り付けるためのスプロケットを備えていることが好ましい。また、前記回転駆動装置は、特に限定されないが、前記入口ポートを前記出口ポートがある位置に正確に停止させるためのリミット装置を備えていることが好ましい。なお、前記回転は、一方向へのみの回転であってもよいが、正方向及び逆方向の双方向への回転であることが好ましい。
【０００９】
また、前記コンクリート配管切替装置は、特に限定されないが、前記入口ポートとこれに接続された出口ポートとの接触部に押圧力を与える押圧部材を備えていることが好ましい。接触部が摩耗した場合にも、該押圧力によって摩耗を吸収して隙間の発生を防ぎコンクリートの漏れを防止できるからである。前記押圧部材としては、特に限定されないが、皿バネ、コイルバネ等の各種バネや、油圧式シリンダ、エアシリンダ等の各種流体圧シリンダ等を例示する。
【００１０】
前記接触部は、特に限定されないが、入口側に設けられた入口側接触板と出口側に設けられた出口側接触板とで構成されていることが好ましい。また、更に、前記入口側接触板及び前記出口側接触板は、特に限定されないが、それぞれ前記回転盤及び前記固定盤に取り替え可能に取り付けられていることが好ましい。このようにすれば、該接触部の摩耗が進み前記押圧力だけでは隙間の発生を防ぎきれなくなった場合にも、該接触板の交換のみで対応できるからである。前記入口側接触板及び前記出口側接触板の材質は、特に限定されないが、炭素鋼等の各種金属、繊維強化樹脂等の各種樹脂、セラミックス等を例示する。
【００１１】
また、前記コンクリート配管切替装置は、特に限定されないが、前記円周上を前記入口ポートに連動して回動し前記入口ポートが一の前記出口ポートに接続された際にそれ以外の前記出口ポートに接続される洗浄用ポートを備えていることが好ましい。このような洗浄用ポートがあると、コンクリート分配管を洗浄する際に効率的だからである。
【発明の効果】
【００１２】
本発明によれば、出口ポートが同一円周上に並ぶため、横一列に直線上に並ぶのに比べ、該装置が占めるスペースが小さく作業性が良い。また、コンクリート供給管は、横移動ではなく回転移動するか、上記連結管を使用すれば移動しないため、型枠の動きに対して対応が容易である。
【発明を実施するための最良の形態】
【００１３】
本発明のコンクリート配管切替装置８は、コンクリート供給管７が接続される入口ポート３５と、同一円周上に配備されて且つコンクリート分配管６が接続される複数の出口ポート１５と、入口ポート３５を回転させることにより該入口ポート３５を出口ポート１５に択一的に切り替えて接続する回転駆動装置５０とを備えている。入口ポート３５は連結管６０を介しコンクリート供給管７に接続され、該連結管６０は、コンクリート供給管７側の端が該回転の軸線ｘ上に位置するように屈曲して延びて、且つコンクリート供給管７に対し回転可能に接続される。入口ポート３５は回転可能に支持された回転盤３０に取り付けられて、出口ポート１５は固定盤１０に取り付けられて、回転駆動装置５０は回転盤３０を回転駆動するものとなっている。
【実施例１】
【００１４】
本実施例の図１〜図３に示すコンクリート配管切替装置８は、１本のコンクリート供給管７を、複数本のコンクリート分配管６の中の１本に択一的に接続し且つ必要に応じて他のコンクリート分配管６に接続を切替えるための装置である。但し、図３（ｂ）においては、簡略化のため連結管６０の図示を省略している。
【００１５】
コンクリート配管切替装置８は、コンクリート分配管６が接続される複数の出口ポート１５が同一円周上に取り付けられた固定盤１０と、コンクリート供給管７が接続される入口ポート３５が取り付けられた回転盤３０と、該回転盤３０を回転駆動させることにより入口ポート３５を出口ポート１５に択一的に切り替えて接続する回転駆動装置５０とを含み構成されている。そして、これらの各構成要素は、該装置の下部に広がった基枠９に支持されいる。
【００１６】
固定盤１０は、垂直方向へ起立した状態で基枠９に取り付けられた、外周部に表面側へ突出した囲い１０ａを備える板状の部材である。該固定盤１０の表面側には、回転盤３０が摺動可能に軸着されており、該回転盤３０が摺接する部分には、出口側接触板２０が取り付られている。また、裏面からは、複数の出口ポート１５が、該固定盤１０を貫通し表面の出口側接触板２０に接続される形で取り付けられている。
【００１７】
詳しくは、該固定盤１０は、表面側に回転盤３０を軸着する回転シャフト１１を備え、該回転シャフト１１の先端部と回転盤３０との間には、該回転盤３０を固定盤１０に押圧するための押圧部材１２が装着されている。該押圧部材１２は、皿バネであって、回転シャフト１１の先端に形成された雄ネジ１１ａが挿通され、該雄ネジ１１ａにナット１１ｂが螺着されることによって固定されている。また、該固定盤１０の回転シャフト１１を中心とする同一円周上には、出口ポート１５の端を挿入し取り付けるための取付孔１３が貫設されている。また、その他、表面の複数箇所には出口側接触板２０をネジ２９で止着するためのネジ穴１４が複数、凹設されている。
【００１８】
各出口ポート１５は、直線状に延びる管であって４本存在し、入口ポート３５に接続される側の端が固定盤１０の取付孔１３に固定されている。出口側接触板２０は、炭素鋼（例えば、Ｓ４５Ｃ）からなる取り替え可能な円盤状の部材であって、中央には回転シャフト１１及び回転盤３０の軸受３１を挿通させるための軸孔２１が貫設され、固定盤１０の取付孔１３の上に重なる部分には、取り付けられた各出口ポート１５の開口に連通する各連通孔２３が貫設されている。また、その他、該出口側接触板２０には、固定盤１０の表面にネジ２９で止着されるためのネジ通孔２４が複数、貫設されている。
【００１９】
回転盤３０は、回転シャフト１１に軸着された、外周部に表面側へ突出した囲い３０ａを備える円盤状の部材である。この回転盤３０は、裏面を固定盤１０の出口側接触板２０に摺接させながら回転する部材であって、該摺接する部分には入口側接触板４０が取り付けられている。また、該回転盤３０の表面側からは、１本の入口ポート３５と、該入口ポート３５が一の出口ポート１５に接続された際にそれ以外の出口ポート１５に接続される複数本の洗浄用ポート３６とが、該回転盤３０を貫通し裏面の入口側接触板４０に接続される形で取り付けられている。
【００２０】
詳しくは、該回転盤３０は、中央に回転シャフト１１を挿通させるための軸受３１を備え、該軸受３１の先端部分には、雄ネジ１１ａを挿通させるための孔を備えたキャップ３１ａが嵌められている。また、該回転盤３０は、外周部に、回転駆動装置５０のチェーン５３を取り付けるための従動側スプロケット３２が形成されている。そして、該スプロケット３２の内側の同一円周上には、入口ポート３５又は洗浄用ポート３６の端を挿入し取り付けるための各取付孔３３が貫設されている。また、その他、該回転盤３０の裏面には、入口側接触板４０をネジ４９で止着するためのネジ穴（図示略）が複数、凹設されている。
【００２１】
入口ポート３５は、直線状に延びる管であって、出口ポート１５に接続される側の端が回転盤３０の取付孔３３に固定され、反対側の端には連結管６０が接続されている。洗浄用ポート３６は、コンクリート分配管６を洗浄する際に使用する管であって３本存在し、入口ポート３５よりやや短く直線状に延びている。そして、各洗浄用ポート３６は、出口ポート１５に接続される側の端が回転盤３０の各取付孔３３に固定されている。入口側接触板４０は、炭素鋼（例えば、Ｓ４５Ｃ）からなる取り替え可能な円盤状の部材であって、中央には回転シャフト１１及び軸受３１を挿通させるための軸孔４１が貫設され、回転盤３０の取付孔３３の上に重なる部分には、取り付けられた入口ポート３５又は各洗浄用ポート３６の開口に連通する各連通孔４３が、それぞれ貫設されている。また、その他、該入口側接触板４０には、回転盤３０の裏面にネジ４９で止着されるためのネジ通孔４４が複数、貫設されている。
【００２２】
回転駆動装置５０は、回転盤３０を正方向Ｆ及び逆方向Ｒの双方向へ回転駆動する装置であって、回転盤３０に並べて設置された動力源となる駆動用モータ５１と、そのシャフトの先端に取り付けられた駆動側スプロケット５２と従動側スプロケット３２との間に架けられたチェーン５３とを含み構成されている。そして、この回転駆動装置５０は、入口ポート３５を出口ポート１５がある位置に正確に停止させるためのリミット装置（図示略）を備えており、いずれかの出口ポート１５が示された押しボタン（図示略）を押せば、その位置に自動停止させることができるようになっている。
【００２３】
連結管６０は、コンクリート供給管７と入口ポート３５との間に介在される部材であって、コンクリート供給管７側の端が回転盤３０が回転する際の軸線ｘ上に位置するように屈曲して延びて、且つコンクリート供給管７に対しては回転可能に接続される。より具体的には、該連結管６０は、その屈曲形状が維持される管であって、コンクリート供給管７側の端から中間部まで略一直線状に延びる基部６１と、該基部６１の先端から屈曲して延びる屈曲部６２と、該屈曲部６２の先端から屈曲し再び基部６１と略平行に延びる先部６３とを含み構成されている。そして、基部６１の中心線を回転盤３０が回転する際の軸線ｘに合わせた状態で、基枠９に取り付けられた連結管支持部６９に回転可能に支持されている。
【００２４】
上記コンクリート配管切替装置８を用いて、コンクリート供給管７の接続を各コンクリート分配管６に切り替えながら型枠内にコンクリートを打設していく様子を以下に説明する。
（１）まず、連結管６０にコンクリート供給管７を接続し、各出口ポート１５に各コンクリート分配管６を接続する。
（２）次に、生コンクリートを供給するコンクリート分配管６を選択し、その管が接続された出口ポート１５に入口ポート３５を、回転盤３０を回転させ合わせる。なお、このとき、回転駆動装置５０は、上記リミット装置を備えているため、押しボタンを押すだけで、選択した出口ポート１５の位置に該入口ポート３５を正確に自動停止させることができる。
（３）そして、生コンクリートを供給し打設作業を行う。
（４）このように打設した後、再び（２）（３）の動作を繰り返すことにより、順に型枠内に生コンクリートを打設していく。
【００２５】
次に、上記打設作業を行った後、図４に示すように、コンクリート分配管６を洗浄する際の様子を以下に説明する。
（１）まず、コンクリート分配管６の打設側の端を型枠から切り離す。
（２）次に、洗浄用ポート３６側に溜まったコンクリートを掻き出した後、スポンジ７５を挿入し、該洗浄用ポート３６の端にエアーバルブ７１を備えたエアー蓋７０を取り付け、これをシャコ万７２で固定する。
（３）次に、エアーバルブ７１にエアーホース７３を接続した後、エアーバルブ７１を開き、該切り離した側の端から該スポンジ７５を残留コンクリートと伴に吐き出させる。
なお、該洗浄作業は、上記とは反対に、該切り離した側の端にエアー蓋７０及びエアーホース７３を接続し、洗浄用ポート３６側から残留コンクリートを吐き出させてもよい。
【００２６】
本実施例によれば、出口ポート１５が同一円周上に並ぶため、横一列に直線上に並ぶのに比べ、装置が占めるスペースが小さく作業性が良い。また、入口ポート３５が回転した際にも、該連結管６０がコンクリート供給管７との接続部を軸に回転するのみで、該コンクリート供給管７自体が動かされることはないため、型枠の動きに対して対応が容易であり、また、接続を切り替える際にコンクリート供給管７が折れ曲がったり捩れたりする心配もない。
【００２７】
また、押圧部材１２を備えるため、固定盤１０と回転盤３０との接触部を構成する両接触板２０、４０が摩耗した場合にも、該押圧力によって該摩耗を吸収し隙間の発生を防ぎコンクリートの漏れを防止できる。また、更に、両接触板２０、４０は取り替え可能であるため、該接触部の摩耗が進み該押圧力だけでは隙間の発生を防ぎきれなくなった場合にも、該接触板の交換のみで対応できる。また、その他、洗浄用ポート３６があるため、コンクリート分配管６を出口ポート１５に接続したまま洗浄することもできる。
【００２８】
なお、本発明は前記実施例に限定されるものではなく、発明の趣旨から逸脱しない範囲で適宜変更して具体化することもでき、例えば、連結管６０を可撓性を備えたものにしてもよい。
【図面の簡単な説明】
【００２９】
【図１】本発明の実施例のコンクリート配管切替装置を示す全体斜視図である。
【図２】同実施例のコンクリート配管切替装置を示す分解斜視図である。
【図３】同実施例のコンクリート配管切替装置を示す（ａ）は側面図、（ｂ）は正面図である。
【図４】同実施例のコンクリート分配管を洗浄する際の様子を示す斜視図である。
【図５】（ａ）は配管の接続切替の様子を示す斜視図、（ｂ）は従来例のコンクリート分流装置を示す斜視図である。
【符号の説明】
【００３０】
６    コンクリート分配管
７    コンクリート供給管
８    コンクリート配管切替装置
１０    固定盤
１１    回転シャフト
１２    押圧部材
１５    出口ポート
２０    出口側接触板（接触部）
３０    回転盤
３５    入口ポート
３６    洗浄用ポート
４０    入口側接触板（接触部）
５０    回転駆動装置
６０    連結管
ｘ    回転の軸線
【図１】
2007023624.tif 000003
【図２】
2007023624.tif 000004
【図３】
2007023624.tif 000005
【図４】
2007023624.tif 000006
【図５】
2007023624.tif 000007